(57)【要約】      （修正有）【課題】高い気密性を実現できる建物の壁構造を提供する。【解決手段】壁パネル１１は、下地フレーム２１と、その下地フレーム２１の両側に設けられる壁面材２２とを備えている。下地フレーム２１は、一対の縦桟２３とその一対の縦桟の間に設けられる複数の横桟とを有し、それら縦桟及び横桟の間に壁内空間が形成されている。横桟には、上下方向に貫通する孔部が設けられ、その孔部内に、壁パネル１１の外部からの配線Ｗを挿通させることが可能となっており、孔部に配線Ｗが挿通された状態で、孔部における隙間を塞ぐ閉塞部材５１が設けられている。【選択図】図６
2019065480.tif 000002
【特許請求の範囲】
【請求項１】
下地フレームと、その下地フレームを挟んで両側に設けられる壁面材とを備えてなる壁パネルを備え、前記下地フレームは、一対の縦桟とその一対の縦桟の間に設けられる複数の横桟とを有し、それら縦桟及び横桟の間に壁内空間が形成されている建物の壁構造であって、
前記横桟には、上下方向に貫通する孔部が設けられ、その孔部内に、前記壁パネルの外部からの配線を挿通させることが可能となっており、
前記孔部に前記配線が挿通された状態で、当該孔部における隙間を塞ぐ閉塞部材が設けられていることを特徴とする建物の壁構造。
【請求項２】
前記閉塞部材は、伸縮変形可能な弾性部材であり、
圧縮された状態で前記弾性部材が前記孔部内に設けられることにより前記隙間が塞がれている請求項１に記載の建物の壁構造。
【請求項３】
前記壁パネルに分電盤が取り付けられる建物の壁構造であって、
前記孔部は、前記横桟に沿う方向を長手方向として延びる長孔状をなし、かつ前記分電盤に接続される複数の前記配線を挿通させることを可能にするものであり、
前記壁パネルの厚み方向において前記配線を挟んで両側に、前記孔部の内周面に沿って前記閉塞部材がそれぞれ設けられている請求項２に記載の建物の壁構造。
【請求項４】
前記下地フレームは、前記一対の縦桟の間に、前記分電盤の側面を固定する一対の補助縦桟を有しており、
前記一対の補助縦桟の間が前記孔部になっている請求項３に記載の建物の壁構造。
【請求項５】
前記孔部内には、前記壁パネルの厚み方向において前記配線を挟んで一方の側に、前記閉塞部材を貼り付ける貼付部が設けられており、
前記孔部内において、前記壁パネルの厚み方向で前記配線を挟んで一方の側の前記閉塞部材は、前記貼付部により前記壁パネルに貼り付けられ、前記配線を挟んで他方の側の前記閉塞部材は、前記壁パネルに貼り付けられていない請求項３又は４に記載の建物の壁構造。
【請求項６】
前記壁パネルは、その下端が床部に対して固定されるとともに、上端が天井部に対して固定されており、
前記壁パネルにおける最上部の前記横桟に前記孔部が設けられるとともに、前記天井部の天井面材に、その天井面材の上下に貫通し、かつ前記孔部に通じるように天井側の孔部が形成されており、
前記横桟及び前記天井面材の前記各孔部に、前記閉塞部材が圧縮状態で設けられている請求項３乃至５のいずれか１項に記載の建物の壁構造。
【請求項７】
前記閉塞部材は、伸縮変形可能である弾性シートであり、
前記弾性シートには、周縁部から中央部に向けて切り込みが形成されており、
前記横桟の上面又は下面に前記弾性シートが貼り付けられ、前記切り込みに沿って延びる切込端部どうしを重ね合わせた状態で前記隙間が塞がれている請求項１乃至６のいずれか１項に記載の建物の壁構造。
【発明の詳細な説明】
【技術分野】
【０００１】
本発明は、建物の壁構造に関する。
【背景技術】
【０００２】
住宅等の建物では、例えば間仕切り壁の内部空間を利用して電気配線を通すようにした構成が知られている。具体的には、間仕切り壁は、一対の壁面材と、その一対の壁面材に挟まれて配置される下地フレームとにより構成されており、下地フレームにおいて最上部の横桟に形成されたものに天井裏空間から電気配線が挿通されることで、間仕切り壁内に電気配線が配されるようになっている（特許文献１参照）。例えば間仕切り壁には、その壁面に、分電盤やコンセント等の電気機器が設けられており、その電気機器に対して壁内空間内の電気配線が接続されている。
【先行技術文献】
【特許文献】
【０００３】
【特許文献１】特開２０１５−６１４４４号公報
【発明の概要】
【発明が解決しようとする課題】
【０００４】
上記のとおり下地フレームに貫通孔を設けておくことで、壁内空間を利用しつつ間仕切り壁に電気配線を装備することができる。しかしながら、下地フレームの貫通孔に電気配線を通す構成では、貫通孔を介して天井空間等から壁内空間に空気が流入する。そのため、屋内空間における冷暖房効率の低下が懸念される。例えば、間仕切り壁の壁面に分電盤やコンセント等の電気機器が設けられている場合には、電気機器の取り付けのために設けた壁面材の孔を介して通気漏れが生じることが考えられる。
【０００５】
本発明は、上記事情に鑑みてなされたものであり、気密性の高い建物の壁構造を実現することを目的とするものである。
【課題を解決するための手段】
【０００６】
以下、上記課題を解決するのに有効な手段等につき、必要に応じて作用、効果等を示しつつ説明する。
【０００７】
第１の発明は、
下地フレームと、その下地フレームを挟んで両側に設けられる壁面材とを備えてなる壁パネルを備え、前記下地フレームは、一対の縦桟とその一対の縦桟の間に設けられる複数の横桟とを有し、それら縦桟及び横桟の間に壁内空間が形成されている建物の壁構造であって、
前記横桟には、上下方向に貫通する孔部が設けられ、その孔部内に、前記壁パネルの外部からの配線を挿通させることが可能となっており、
前記孔部に前記配線が挿通された状態で、当該孔部における隙間を塞ぐ閉塞部材が設けられていることを特徴とする。
【０００８】
壁パネル内の壁内空間を利用して配線を取り付ける場合には、壁パネルの横桟に設けられた孔部に配線が挿通されるが、その孔部を介して壁内空間に外部からの空気が流入することに起因して、屋内空間の気密性が低下することが懸念される。この点、上記構成では、孔部に配線が挿通された状態で、孔部における隙間が閉塞部材により塞がれているため、孔部を介して壁内空間に外部からの空気が流入することが抑制される。その結果、気密性の高い建物の壁構造を実現することができる。
【０００９】
第２の発明は、前記閉塞部材は、伸縮変形可能な弾性部材であり、圧縮された状態で前記弾性部材が前記孔部内に設けられることにより前記隙間が塞がれていることを特徴とする。
【００１０】
伸縮変形可能な弾性部材である閉塞部材を、圧縮した状態で孔部内に設け、それにより孔部の隙間を塞ぐようにした。この場合、閉塞部材の弾性を利用して、配線周りの隙間を好適に塞ぐことができる。
【００１１】
第３の発明は、前記壁パネルに分電盤が取り付けられる建物の壁構造であって、前記孔部は、前記横桟に沿う方向を長手方向として延びる長孔状をなし、かつ前記分電盤に接続される複数の前記配線を挿通させることを可能にするものであり、前記壁パネルの厚み方向において前記配線を挟んで両側に、前記孔部の内周面に沿って前記閉塞部材がそれぞれ設けられていることを特徴とする。
【００１２】
壁パネルに分電盤が取り付けられ、その分電盤に複数の配線が接続されている構成では、横桟に長孔状の孔部が形成されることで、複数の配線を孔部内に好適に挿通させることができる。そして、壁パネルの厚み方向において配線を挟んで両側に、孔部の内周面に沿って閉塞部材がそれぞれ設けられていることで、壁厚み方向の両側から複数の配線を挟み込むような状態で、配線周りの隙間を好適に塞ぐことができる。
【００１３】
第４の発明は、前記下地フレームは、前記一対の縦桟の間に、前記分電盤の側面を固定する一対の補助縦桟を有しており、前記一対の補助縦桟の間が前記孔部になっていることを特徴とする。
【００１４】
上記構成において、下地フレームには、一対の縦桟の間に一対の補助縦桟が設けられ、その一対の補助縦桟の間に、側面が固定された状態で分電盤が固定されている。この場合、限られた大きさの壁内空間において分電盤を好適に固定することができる。また、一対の補助縦桟の間が長孔状の孔部になっているため、分電盤に対して横並びで接続される複数の配線をその横並びの状態で孔部に挿通させることができ、さらにその状態において複数の配線を閉塞部材により略均等に囲むことができる。これにより、複数の配線を挿通させるために比較的大きな孔部が形成されていても、その孔部を介しての通気を好適に遮断することができる。
【００１５】
第５の発明は、前記孔部内には、前記壁パネルの厚み方向において前記配線を挟んで一方の側に、前記閉塞部材を貼り付ける貼付部が設けられており、前記孔部内において、前記壁パネルの厚み方向で前記配線を挟んで一方の側の前記閉塞部材は、前記貼付部により前記壁パネルに貼り付けられ、前記配線を挟んで他方の側の前記閉塞部材は、前記壁パネルに貼り付けられていないことを特徴とする。
【００１６】
横桟の長孔状の孔部内に複数の配線を挿通した状態で壁厚み方向の両側に閉塞部材を介在させる壁構造において、壁厚み方向の一方の側に閉塞部材を貼り付けておくことにより、閉塞部材の下方への落下や位置ずれを生じさることなく、その閉塞部材の側方（手前側）に配線を容易に配置できる。また、壁厚み方向の他方の側においては、下地フレームの両側に壁面材を固定した状態で、孔部内の隙間に閉塞部材を押し込めばよく、貼付部が無くても孔部内に閉塞部材を適正に収容させることができる。この場合、孔部内への閉塞部材の取り付け作業を加味しつつ、好適なる構成を実現できる。
【００１７】
第６の発明は、前記壁パネルは、その下端が床部に対して固定されるとともに、上端が天井部に対して固定されており、前記壁パネルにおける最上部の前記横桟に前記孔部が設けられるとともに、前記天井部の天井面材に、その天井面材の上下に貫通し、かつ前記孔部に通じるように天井側の孔部が形成されており、前記横桟及び前記天井面材の前記各孔部に、前記閉塞部材が圧縮状態で設けられていることを特徴とする。
【００１８】
天井裏空間から壁内空間に分電盤用の配線が導入される場合において、上記のとおり天井面材及び壁パネルの横桟にそれぞれ設けられた孔部内に閉塞部材が収容されていることで、天井面材と壁パネルとの境界部を跨ぐ状態で閉塞部材が設けられることになる。そのため、天井面材と壁パネルとの境界部を介して通気漏れが生じることを抑制することができる。
【００１９】
第７の発明は、前記閉塞部材は、伸縮変形可能である弾性シートであり、前記弾性シートには、周縁部から中央部に向けて切り込みが形成されており、前記横桟の上面又は下面に前記弾性シートが貼り付けられ、前記切り込みに沿って延びる切込端部どうしを重ね合わせた状態で前記隙間が塞がれていることを特徴とする。
【００２０】
伸縮変形可能な閉塞部材（弾性シート）を横桟の上面又は下面に貼り付けることで、孔部の隙間を塞ぐようにした。この場合特に、弾性シートの切り込みに沿って延びる切込端部どうしを重ね合わせ、その状態で隙間を塞いでいるため、孔部に挿通されている配線を周りから囲むようにして弾性シートが設けられることになり、孔部内の隙間を適正に塞ぐことができる。また、孔部に配線が挿通されていなくても、切込端部どうしを重ね合わせることで、孔部を適正に塞ぐことができる。
【図面の簡単な説明】
【００２１】
【図１】間仕切り壁の正面図。
【図２】壁パネルの構成を示す分解斜視図。
【図３】建物における壁パネルの取り付け状態を示す正面図。
【図４】分電盤が設けられる壁パネルの分解斜視図。
【図５】壁パネルの上端部周辺における壁内部構造を示す断面図。
【図６】壁パネルの横断面図。
【図７】壁パネルに設けた閉塞部材を示す図。
【図８】横桟に弾性シートを貼り付けた状態を示す図。
【図９】下地フレームの正面図。
【発明を実施するための形態】
【００２２】
以下に、本発明を具体化した一実施形態について図面を参照しつつ説明する。本実施形態では、住宅等の建物において屋内空間を複数に仕切る間仕切り壁が設けられており、その間仕切り壁において本発明の壁構造を具体化している。住宅は、例えば複数の建物ユニットにより構築されるユニット式建物である。図１は間仕切り壁１０の正面図、図２は壁パネル１１の構成を示す分解斜視図である。なお、図１においては、間仕切り壁１０について、壁紙２６よりも内側の内部構造、及び壁面材２２よりも内側の内部構造を破断図にて部分的に示している。
【００２３】
図１及び図２に示すように、住宅等の建物には間仕切り壁１０が設けられており、間仕切り壁１０により、隣り合う部屋等の居住空間が仕切られている。間仕切り壁１０は、複数の壁パネル１１が横並びに複数配置されることで構成されている。壁パネル１１は、略矩形板状に形成されており、屋内空間の天井高さとほぼ同じ高さ寸法を有している。壁パネル１１は、その下端が床部１３に対して固定されるとともに、上端が天井部１２に対して固定されている。
【００２４】
壁パネル１１は、壁下地としての下地フレーム２１と、その下地フレーム２１を挟んで両側に設けられた一対の壁面材２２とを有している。下地フレーム２１は、全体として矩形枠状に形成されている。下地フレーム２１は、互いに離間して設けられた一対の縦桟２３と、それら縦桟２３を連結する複数の横桟２４とを備えている。縦桟２３は上下方向（鉛直方向）に延び、横桟２４は左右方向（水平方向）に延びている。縦桟２３及び横桟２４は、いずれも木材等の材料で長尺状に形成されたフレーム材であり、断面略矩形状とされ、それぞれビス等の固定具を打ち込むことが可能な中実の部材となっている。
【００２５】
また、各横桟２４には、孔部として、横桟２４の厚み方向（上下方向）に貫通する複数の貫通孔２５が設けられており、その貫通孔２５を通じて、壁内空間に配線Ｗを通すことが可能になっている。この配線Ｗには、電力用の配線以外に、情報通信用の配線が含まれる。本実施形態では、天井裏空間から壁内空間に配線Ｗを導入することとしており、複数の横桟２４のうち最下部を除く各横桟２４に貫通孔２５が設けられている。なお、横桟２４ごとに貫通孔２５を１つずつ設け、その貫通孔２５に複数の配線Ｗを挿通可能にしてもよい。
【００２６】
壁面材２２は、石膏ボード等の板材により略矩形状に形成されており、下地フレーム２１を挟んで両側に配置されている。各壁面材２２の表側面には、隣り合う壁面材２２（壁パネル１１）の境界を跨ぐように壁紙２６が張り付けられている。壁紙２６は、紙材や合成樹脂材料などによりシート状に形成された仕上げ材であり、間仕切り壁１０における屋内側壁面の表面を形成する表面材に相当する。壁紙２６は、壁面材２２に重ねられ、接着材等により壁面材２２の屋内側板面に貼付されている。
【００２７】
間仕切り壁１０には、その壁面に、電気機器として分電盤３１や照明スイッチ３２、コンセント３３が設けられている。このうち照明スイッチ３２、コンセント３３は、壁面材２２に形成した開口部（図示略）に設けられており、照明スイッチ３２、コンセント３３に対して、貫通孔２５を通して設けられる配線Ｗが接続されている。その他、壁面に設けられる電気機器としては、インタホンや音響機器（スピーカ）、ＨＥＭＳ操作装置等が考えられる。
【００２８】
次に、分電盤３１の設置に関する構造を説明する。図３は、建物における壁パネル１１の取り付け状態を示す正面図であり、特に分電盤３１が設けられる壁パネル１１Ａの構造を示している。また、図４は、分電盤３１が設けられる壁パネル１１Ａの分解斜視図である。なお、図３、図４では、壁パネル１１Ａの両方の壁面材２２のうち、分電盤３１が設けられない側の壁面材２２が下地フレーム２１に取り付けられ、分電盤３１が設けられる側の壁面材２２が取り外された状態を示している。
【００２９】
図３及び図４に示す壁パネル１１Ａは、他の壁パネル１１の構成とは異なり、一対の縦桟２３の間に、複数の横桟２４に加え、分電盤３１を支持する支持構造を有している。すなわち、一対の縦桟２３の内側には、パネル上下方向の中間位置にある横桟２４から上方に延びる一対の補助縦桟４１が縦桟２３に平行に設けられている。一対の補助縦桟４１の間の離間寸法は、分電盤３１の横幅寸法と略同じであり、一対の補助縦桟４１の間に分電盤３１が配置されるようになっている。
【００３０】
補助縦桟４１の上端は、縦桟２３の上端と同じ位置にあり、一対の縦桟２３及び一対の補助縦桟４１は上桟４２，４３により互いに連結されている。詳しくは、一対の補助縦桟４１は、その上端部にて上桟４２により互いに連結されている。また、壁パネル１１の左右方向両端側において縦桟２３及び補助縦桟４１は、上端部にて上桟４３により互いに連結されている。なお、上桟４２，４３は、壁パネル１１における最上部の横桟を構成するものとなっている。
【００３１】
ここで、上桟４２，４３のうち中央の上桟４２は、板面が鉛直方向に延びる向き（縦向き）で設けられており、それ故に壁パネル１１の厚み方向における寸法が縦桟２３や横桟２４の同寸法よりも小さいものとなっている。したがって、下地フレーム２１に壁面材２２を取り付けた状態では、壁パネル１１の上面において上桟４２に対応する位置に孔部４４（図５（ａ）参照）が形成され、その孔部４４を通じて壁内空間への配線Ｗの挿通が可能となっている。一対の補助縦桟４１の間が孔部４４になっている。孔部４４は、上桟４２に沿う方向を長手方向として延びる長孔状をなしており、複数（例えば１０〜３０本程度）の配線Ｗを孔部４４に通すことが可能になっている。
【００３２】
また、一対の補助縦桟４１の間には、分電盤支持用の横桟４５，４６が架け渡されている。
【００３３】
壁面材２２には、壁パネル１１に分電盤３１を取り付けるための矩形状の開口部２７が設けられている。分電盤３１は、開口部２７を通じて壁面の側に露出するものとなっている。分電盤３１は、一対の補助縦桟４１の間に配置された状態で、分電盤３１の内部からビス３４を打つことにより補助縦桟４１に対して固定されるようになっている。つまり、分電盤３１ではその側面が一対の補助縦桟４１に固定されている。分電盤３１の上面には、複数の配線Ｗを接続するための複数のコネクタ部３５が横並びで設けられている。
【００３４】
また、天井部１２は、天井下地材としての天井小梁１４及び野縁１５と、天井面材１６とを有している。天井小梁１４は、図示しない天井大梁に連結されている。天井面材１６は、例えば２枚重ねの石膏ボードにより形成されており、野縁１５を介して天井小梁１４に対してビス等により固定されている。
【００３５】
天井面材１６には、上下に貫通し、かつ壁パネル１１のフレーム上部に設けられた孔部４４に通じる孔部１７が形成されている。孔部１７は、フレーム上部の孔部４４と同様に長孔状をなし、開口寸法も孔部４４と略同じである。配線Ｗは、天井裏空間から、天井面材１６及び壁パネル１１の各孔部１７，４４を通じて壁内空間に導入され、その壁内空間にて分電盤３１に接続されている。
【００３６】
ところで、天井面材１６及び壁パネル１１の各孔部１７，４４を通じて壁内空間に配線Ｗが導入される構成では、各孔部１７，４４が通気経路となることで、屋内空間の気密性が低下することが懸念される。そこで本実施形態では、各孔部１７，４４に配線Ｗが挿通された状態で、その各孔部１７，４４に存在する隙間に閉塞部材を設け、その閉塞部材により孔部１７，４４内の隙間を塞ぐようにしている。
【００３７】
図５は、壁パネル１１の上端部周辺における壁内部構造を示す断面図であり、具体的には図３のＡ−Ａ線の断面図である。図５の（ａ）は、配線Ｗと閉塞部材５１とを挿入する前の状態を示し、（ｂ）は、配線Ｗと閉塞部材５１とを挿入した後の状態を示す。図６は、壁パネル１１の横断面図であり、具体的には図５（ｂ）のＢ−Ｂ線の断面図である。
【００３８】
図５（ａ）に示すように、壁パネル１１側の孔部４４と天井面材１６側の孔部１７とは上下に連通している。これにより、各孔部１７，４４を通じて、天井面材１６の上方の天井裏空間と壁内空間とが連通されている。なお、図示のとおり孔部１７，４４の内周面が上下に連続しているとよい。
【００３９】
図５（ｂ）及び図６に示すように、孔部１７，４４内には閉塞部材５１が収容されている。閉塞部材５１は、例えば発泡ゴム材料であるＥＰＤＭ（エチレンプロピレンゴム）よりなる伸縮変形可能な弾性部材であり、壁厚み方向（図５の左右方向）において配線Ｗを挟んで両側に、孔部４４の内周面に沿って設けられている。すなわち、閉塞部材５１は、壁厚み方向において配線Ｗの一方の側に配置される第１部分５１ａと、他方の側に配置される第２部分５１ｂとからなる。これら各部分５１ａ，５１ｂは、長尺状をなし、自然状態で壁幅方向における孔部寸法よりも大きい長さ寸法を有している。閉塞部材５１は、圧縮状態で孔部１７，４４内に収容されている。また、閉塞部材５１は、天井面材１６と壁パネル１１との境界部を跨ぐ状態で孔部１７，４４内に設けられている。
【００４０】
なお、図６では、閉塞部材５１の間において複数の配線Ｗを積み重ねずに一列に配置するようにしている。これにより、複数の配線Ｗを積み重ねて配置する場合に比べて、孔部１７，４４内の隙間が生じにくくなっている。
【００４１】
上桟４２には、孔部４４側の側面に、接着材や両面テープからなる貼付部５２が設けられており、その貼付部に、第１部分５１ａが貼り付けられている。この場合、孔部４４内に配線Ｗが挿通される前に、閉塞部材５１の一部を下地フレーム２１に対して先付けしておくことが可能になっている。
【００４２】
分電盤付きの壁パネル１１Ａにより間仕切り壁を製作する際には、下地フレーム２１の片面側に壁面材２２を取り付けた状態（図４の状態）で、壁パネル１１Ａが所定の間仕切り位置に固定される。このとき、天井面材１６の孔部１７と壁パネル１１Ａの孔部４４とが位置合わせされる。また、下地フレーム２１の一対の補助縦桟４１の間に、分電盤３１が固定される。
【００４３】
その後、孔部１７，４４を通じて壁内空間に複数の配線Ｗが導入され、その壁内空間にて配線Ｗが分電盤３１に接続される。なお、下地フレーム２１の上桟４２に対しては、配線Ｗが壁内空間に導入される前に、貼付部５２により閉塞部材５１（ここでは特に第１部分５１ａ）が貼り付けられている。その後、下地フレーム２１において分電盤側の側面に壁面材２２が取り付けられる。そして、例えば天井裏空間の側から第２部分５１ｂが押し込められることで、孔部１７，４４における隙間が閉塞部材５１により閉塞される。ここで、孔部４４内において、壁厚み方向で配線Ｗを挟んで一方の側の閉塞部材５１は貼付部５２により下地フレーム２１に貼り付けられ、配線Ｗを挟んで他方の側の閉塞部材５１は、下地フレーム２１に貼り付けられていないものとなっている。
【００４４】
なお、第２部分５１ｂの取り付けに関して、天井裏空間の側から第２部分５１ｂを押し込むとした構成以外に、分電盤側の壁面材２２が取り付けられる前に、孔部１７，４４内の配線Ｗの手前側にテープ等により第２部分５１ｂを取り付け、その状態で、各部分５１ａ，５１ｂを圧縮変形させつつ壁面材２２を取り付ける構成であってもよい。
【００４５】
第１部分５１ａと第２部分５１ｂとを一体にして（すなわち連続する一体の長尺物として）閉塞部材５１を形成することも可能ある。具体的には、図７に示すように、閉塞部材５１の約半分を、第１部分５１ａとして上桟４２に貼り付けておき、残りの部分（非貼り付け部分）を、孔部１７，４４内に配線Ｗを挿通させた後に、配線Ｗを囲むように手前側に配置する。そして、その配線Ｗを閉塞部材５１で囲んだ状態で、手前側から壁面材２２を取り付ける。
【００４６】
また、壁パネル１１において、照明スイッチ用又はコンセント用の配線Ｗの挿通部分である貫通孔２５にも閉塞部材が設けられているとよい。その構成を図８に示す。
【００４７】
図８に示す構成では、下地フレーム２１の横桟２４に、貫通孔２５を塞ぐようにして、閉塞部材として弾性シート５３が貼り付けられている。弾性シート５３は、例えばクロロプレンゴムよりなる伸縮変形可能なシート材であり、一方の面が、横桟２４に貼り付けられる貼着面となっている。弾性シート５３には、周縁部から中央部に向けて切り込み５４が形成されており、弾性シート５３が横桟２４に貼り付けられた状態では、切り込み５４に沿って延びる切込端部どうしを重ね合わせることで、貫通孔２５を介しての通気が遮断されるようになっている（図８の斜線部参照）。ここで、貫通孔２５に配線Ｗを挿通させる場合には、配線Ｗを弾性シート５３で囲み、かつ切り込み５４での重ね合わせ（切込端部どうしの重ね合わせ）により隙間を塞ぐようにする。
【００４８】
図９には、下地フレーム２１において横桟２４の貫通孔２５に弾性シート５３が貼り付けられた状態を示している。図９では、横桟２４により上下に仕切られた上下５段の壁内空間のうち、上から３段目の壁内空間に照明スイッチ３２が設けられるとともに、上から５段目（最下段）の壁内空間にコンセント３３が設けられる構成としており、それら照明スイッチ３２及びコンセント３３に配線Ｗが接続されている。この場合、照明スイッチ３２及びコンセント３３のうち上側の照明スイッチ３２の上方において横桟２４の各貫通孔２５が弾性シート５３により塞がれている。これにより、照明スイッチ３２やコンセント３３を設けるために壁面材２２に開口部が設けられていても、その開口部を通じて屋内空間の通気性が損なわれることが抑制されるようになっている。
【００４９】
以上、詳述した本実施形態の構成によれば、以下の優れた効果が得られる。
【００５０】
壁パネル１１の横桟２４に設けられた貫通孔２５や孔部４４に配線Ｗが挿通された状態で、貫通孔２５や孔部４４における隙間が閉塞部材５１及び弾性シート５３により塞がれる構成とした。そのため、貫通孔２５や孔部４４を介して壁内空間に外部からの空気が流入することが抑制される。その結果、気密性の高い建物の壁構造を実現することができる。
【００５１】
伸縮変形可能な弾性部材である閉塞部材５１を、圧縮した状態で孔部４４内に設け、それにより孔部４４の隙間を塞ぐようにした。この場合、閉塞部材５１の弾性を利用して、配線周りの隙間を好適に塞ぐことができる。
【００５２】
壁パネル１１Ａに分電盤３１が取り付けられ、その分電盤３１に複数の配線Ｗが接続されている構成では、孔部４４が長孔状に形成されることで、複数の配線Ｗを孔部４４内に好適に挿通させることができる。そして、壁厚み方向において配線Ｗを挟んで両側に、孔部４４の内周面に沿って閉塞部材５１がそれぞれ設けられていることで、壁厚み方向の両側から複数の配線Ｗを挟み込むような状態で、配線周りの隙間を好適に塞ぐことができる。
【００５３】
下地フレーム２１において、一対の縦桟２３の間に一対の補助縦桟４１を設け、その一対の補助縦桟４１の間に、側面が固定された状態で分電盤３１を固定した。この場合、限られた大きさの壁内空間において分電盤３１を好適に固定することができる。また、一対の補助縦桟４１の間が長孔状の孔部４４になっているため、分電盤３１に対して横並びで接続される複数の配線Ｗをその横並びの状態で孔部４４に挿通させることができ、さらにその状態において複数の配線Ｗを閉塞部材５１により略均等に囲むことができる。これにより、複数の配線Ｗを挿通させるために比較的大きな孔部４４が形成されていても、その孔部４４を介しての通気を好適に遮断することができる。
【００５４】
長孔状の孔部４４内に複数の配線Ｗを挿通した状態で壁厚み方向の両側に閉塞部材５１を介在させる壁構造において、壁厚み方向の一方の側に閉塞部材５１（第１部分５１ａ）を貼り付けておくことにより、閉塞部材５１（第１部分５１ａ）の下方への落下や位置ずれを生じさることなく、その閉塞部材５１の側方（手前側）に配線Ｗを容易に配置できる。また、壁厚み方向の他方の側においては、下地フレーム２１の両側に壁面材２２を固定した状態で、孔部４４内の隙間に閉塞部材５５（第２部分５１ｂ）を押し込めばよく、貼付部が無くても孔部４４内に閉塞部材５１を適正に収容させることができる。この場合、孔部４４内への閉塞部材５１の取り付け作業を加味しつつ、好適なる構成を実現できる。
【００５５】
天井裏空間から壁内空間に分電盤３１用の配線Ｗが導入される場合において、上記のとおり天井面材１６及び壁パネル１１Ａの横桟２４にそれぞれ設けられた孔部１７，４４内に閉塞部材５１が収容されていることで、天井面材１６と壁パネル１１Ａとの境界部を跨ぐ状態で閉塞部材５１が設けられることになる。そのため、天井面材１６と壁パネル１１Ａとの境界部を介して通気漏れが生じることを抑制することができる。
【００５６】
弾性シート５３を横桟２４の上面に貼り付けることで、貫通孔２５の隙間を塞ぐようにした。この場合特に、弾性シート５３の切り込み５４に沿って延びる切込端部どうしを重ね合わせ、その状態で隙間を塞いでいるため、貫通孔２５に挿通されている配線Ｗを周りから囲むようにして弾性シート５３が設けられることになり、貫通孔２５内の隙間を適正に塞ぐことができる。また、貫通孔２５に配線Ｗが挿通されていなくても、切込端部どうしを重ね合わせることで、貫通孔２５を適正に塞ぐことができる。
【００５７】
本発明は上記実施形態に限らず、例えば次のように実施されてもよい。
【００５８】
・上記実施形態では、一対の補助縦桟４１の上端部を上桟４２により連結し、上桟４２の側方（手前側）に孔部４４を設ける構成としたが、これを変更してもよく、例えば、上桟４２を無くした構成としてもよい。この場合、一対の補助縦桟４１の間が孔部４４となり、壁パネル１１の最上部では互いに離間する上桟４３により横桟が構成される。
【００５９】
・上記実施形態では、天井裏空間から壁内空間に対して配線Ｗを導入する構成としたが、これを変更し、床下空間から壁内空間に対して配線Ｗを導入する構成であってもよい。この場合、下地フレーム２１の最下部の横桟に貫通孔等が設けられるとともに、その貫通孔等が閉塞部材により閉塞されるとよい。
【００６０】
・壁パネル１１の分電盤用以外の貫通孔２５において、分電盤用の孔部４４と同様に、貫通孔２５内にＥＰＤＭ等の弾性部材を押し込む構成としてもよい。
【００６１】
・下地フレーム２１の横桟２４に形成された貫通孔２５を塞ぐ弾性シート５３を、横桟２４の下面に貼り付けることも可能である。
【符号の説明】
【００６２】
１０…間仕切り壁、１１…壁パネル、１２…天井部、１３…床部、１６…天井面材、１７…孔部（貫通孔）、２１…下地フレーム、２２…壁面材、２３…縦桟、２４…横桟、２５…貫通孔、３１…分電盤、４４…孔部（貫通孔）、５１…閉塞部材、５２…貼付部、５３…弾性シート（閉塞部材）、５４…切り込み、Ｗ…配線。
【図１】
2019065480.tif 000003
【図２】
2019065480.tif 000004
【図３】
2019065480.tif 000005
【図４】
2019065480.tif 000006
【図５】
2019065480.tif 000007
【図６】
2019065480.tif 000008
【図７】
2019065480.tif 000009
【図８】
2019065480.tif 000010
【図９】
2019065480.tif 000011